(57)【要約】【課題】本発明の課題は、チャネル変更時に同期保持する機構を設けることによって同期処理を短縮する復調装置及びその制御方法を提供することを目的とする。【解決手段】上記課題は、デジタル放送を復調する復調装置において、前記復調装置を初期化する初期化手段と、受信中のチャネル変更後に、チャネル変更前の第一信号のフレーム同期情報を用いて、チャネル変更後の第二信号のフレーム同期を判定するフレーム同期判定手段とを備え、前記フレーム同期判定手段によって前記第二信号がフレーム同期していると判定した場合、前記初期化手段を抑止してフレーム同期状態を維持することにより達成される。【選択図】図５
2009077232.tif 000002
【特許請求の範囲】
【請求項１】
デジタル放送を復調する復調装置において、
前記復調装置を初期化する初期化手段と、
受信中のチャネル変更後に、チャネル変更前の第一信号のフレーム同期情報を用いて、チャネル変更後の第二信号のフレーム同期を判定するフレーム同期判定手段とを備え、
前記フレーム同期判定手段によって前記第二信号がフレーム同期していると判定した場合、前記初期化手段を抑止してフレーム同期状態を維持することを特徴とする復調装置。
【請求項２】
前記フレーム同期判定手段によって前記第二信号のフレーム非同期が検出された場合、前記初期化手段によって前記復調装置が初期化されることを特徴とする請求項１記載の復調装置。
【請求項３】
前記デジタル放送をデジタル変換した信号に対して同期処理を行い前記フレーム同期判定手段へ出力する信号同期手段を備え、
前記信号同期手段は、チャネル変更後の一定期間、フィードバックループにおけるループゲインを保持し、
前記フレーム同期判定手段は、前記一定期間において前記第二信号のフレーム同期を判定することを特徴とする請求項１又は２記載の復調装置。
【請求項４】
前記信号同期手段は、同期保持を指示する同期保持信号を受信する同期保持信号受信手段を備え、
前記同期保持信号を受信している期間が前記一定期間となることを特徴とする請求項３記載の復調装置。
【請求項５】
前記信号同期手段は、自動利得制御手段と、クロック同期手段と、キャリア同期手段とを備え、
前記自動利得制御手段、前記クロック同期手段、及び前記キャリア同期手段の各々が、前記同期保持信号を受信している前記一定期間フィードバックループにおけるループゲインを保持することを特徴とする請求項４記載の復調装置。
【請求項６】
デジタル放送を復調する復調装置における制御方法であって、
受信中のチャネル変更後に、フレーム同期状態を取得して、フレーム同期している場合は該フレーム同期状態を維持し、フレーム非同期を検出した場合は前記復調装置を初期化することを特徴とする制御方法。
【発明の詳細な説明】
【技術分野】
【０００１】
本発明は、チャネル変更時に同期保持する機構を設けることによって同期処理を短縮する復調装置及びその制御方法に関する。
【背景技術】
【０００２】
近年、ＭＰＥＧ（Moving Picture Experts Group）方式による映像圧縮とデジタル変復調技術を利用したテレビ放送のデジタル化が進み、実際デジタルテレビの放送が既に開始されている。
【０００３】
デジタルテレビ等を視聴するために用いられるデジタル放送受信装置は、チューナから入力される選局されたチャネルの信号をＡ／Ｄ（Analog to Digital）コンバータでデジタル信号に変換した後、同期処理、誤り訂正を行なうことによってデジタル信号を復調して、放送局から送出されたＴＳ（Transport Stream）パケットを取得する。その後、デジタル放送受信装置は、映像データ、音声データ等が多重化されているＴＳパケットを分離し、映像データ、音声データ等を各々復号して表示部及びスピーカに出力させることによって、デジタル放送を視聴できるようにしている。
【０００４】
このようなデジタル放送受信装置では、映像デコードに必要なヘッダ情報を現在受信中の映像データストリームから取得するため、チャネル変更等の場合に、全てのヘッダ情報を取得するまで映像デコードが行えず、変更後のチャネルに対応した映像が出力されるまでに時間がかかるといった問題があった。この問題を解決するため、特許文献１は、映像デコーダで検出した各チャネルのヘッダ情報を予めヘッダ情報格納部に格納しておき、受信中のチャネルに対応するヘッダ情報をこのヘッダ情報格納部から読み出し、これに基づいて映像データをデコードするデジタル放送受信装置を開示している。従って、チャネル変更等の場合の映像デコードを全てのヘッダ情報を取得するまで待つことなく行うことができるようになった。
【特許文献１】特開２００３−３４８４７０号公報
【発明の開示】
【発明が解決しようとする課題】
【０００５】
しかしながら、デジタル放送受信装置において、チューナから入力される信号をデジタルに変換して復調する従来の復調装置は、図１に示す状態遷移で信号が処理される。図１において、チャネルが設定され初期化されて初期状態となった後、復調装置はモード検出、クロック同期、キャリア同期、キャリア周波数ずれ検出、フレーム同期検出の順に状態遷移して同期検出を行い、同期状態になると復調処理を開始する。
【０００６】
フレーム同期では、２０４シンボルで構成されたフレーム構造を検出し、所定のシンボルに含まれる変調波の伝送制御に関する信号であるＴＭＣＣ（Transmission and Multiplexing Configuration Control）信号を検出する。
【０００７】
日本の地上波デジタル放送の規格であるＩＳＤＢ−Ｔ（Integrated Services Digital Broadcasting-Terrestrial）の場合、図２に示すＴＭＣＣ信号の仕様において、ビット１からビット１６に位置する既知の同期信号を検出することでフレーム同期を確立し、符号化部分を誤り訂正して、その結果をもとに映像データ、音声データ等が含まれる復調データの誤り訂正を行う。また、ＴＭＣＣ信号は、図２に示す仕様で繰り返し送信される。
【０００８】
図１に戻り、チャネルが変更されると、選局されたチャネルの信号に同期する必要があるため、復調装置はチャネル変更毎に初期化され、初期状態となった後、上述したような状態遷移が繰り返されてしまう。
【０００９】
つまり、従来のデジタル放送受信装置では、図３に示すようなチャネル変更に係る制御処理が復調装置に対して行われる。復調装置の制御処理では、イベントを示す信号がチャネル変更であったか否かを判断し（ステップＳ１）、チャネル変更がなければ復調装置を初期化することなく制御を終了し、チャネル変更であった場合、チューナに選局されたチャネルを設定し（ステップＳ２）、復調装置を初期化する（ステップＳ３）。チャネル変更がなされる毎に復調装置が初期化される。復調装置の動作中、上記ステップＳ１からＳ３が繰り返される。
【００１０】
このように、デジタル放送受信装置の復調装置では、通常、いくつかの状態遷移を経て同期処理が行われるため、チャネル変更によって、映像データ、音声データ等が再生されるまでの時間が従来のアナログ放送に比べて長くなるといった問題があった。
【００１１】
よって、本発明の目的は、チャネル変更時に同期保持する機構を設けることによって同期処理を短縮する復調装置及びその制御方法を提供することである。
【課題を解決するための手段】
【００１２】
本発明に係る復調装置は、前記復調装置を初期化する初期化手段と、受信中のチャネル変更後に、チャネル変更前の第一信号のフレーム同期情報を用いて、チャネル変更後の第二信号のフレーム同期を判定するフレーム同期判定手段とを備え、前記フレーム同期判定手段によって前記第二信号がフレーム同期していると判定した場合、前記初期化手段を抑止してフレーム同期状態を維持するように構成される。
【発明の効果】
【００１３】
本願発明は、フレーム同期しているチャネル間でのチャネル変更の場合、復調装置の同期処理時間を短縮することが可能である。
【発明を実施するための最良の形態】
【００１４】
以下、本発明の実施の形態を図面に基づいて説明する。
【００１５】
図４は、本発明の一実施例に係るデジタル放送受信装置の第一構成を示すブロック図である。図４において、デジタル放送受信装置１００は、放送電波を受信するチューナ８と、変調波を復調する復調装置１０と、復調された信号から映像データ、音声データ等を分離してデコードする映像・音声デコーダ２０とで構成される。
【００１６】
デジタル放送受信装置１００は、例えば、ＯＦＤＭ（Orthogonal Frequency Division Multiplexing）変調されたデジタル放送を受信する装置であって、選局部３３からのチャネル変更の信号に応じて、ＲＦ（Radio Frequency）信号から選局されたチャネルのＴＳ信号を再生し、映像データ、音声データ等を分離して、映像データを表示装置３１へ出力し、また音声データをスピーカ３２へと出力する。表示装置３１は、デジタル放送受信装置１００から受信した映像データを表示する装置であって、ＰＤＰ（Plasma Display Panel）、ＬＣＤ（Liquid Crystal Display）、ＣＲＴ（Cathode Ray Tube）等である。スピーカ３２は、デジタル放送受信装置１００から受信した音声データに基づいて音声、楽曲等を出力する装置である。選局操作部３３は、視聴者によってチャネルを選択するための操作部であり、視聴者がリモコンで遠隔操作した信号を受信するリモコン受光部であってもよい。
【００１７】
デジタル放送受信装置１００では、アンテナで受信したＲＦ信号がチューナ８に入力され、選局されたチャネルの信号のみが抜き出され復調装置１０に入力される。
【００１８】
復調装置１０では、入力された信号をデジタル信号に変換して、モード検出、クロック同期、キャリア同期、キャリア周波数ずれ検出、フレーム同期検出の順に状態遷移して同期検出を行い、同期状態となる。
【００１９】
復調装置１０は、ＯＦＤＭ変調されたデジタル信号を復調する装置であり、制御回路１と、Ａ／Ｄ（Analogue to Digital）変換回路１と、復調回路３と、誤り訂正回路４と、クロック・キャリア同期回路５と、ＴＭＣＣ記憶部６ａを備えたフレーム同期回路６とで構成される。
【００２０】
制御回路１は、ＣＰＵ及びメモリを備え、復調装置１０全体を制御する回路であり、本発明に係るチャネル変更処理を行う。制御回路１は、選局操作部３３から又はデジタル放送受信装置１００の全体を制御する制御装置（図示せず）を介して受信した信号に応じて、チューナ８へ視聴者が指定したチャネルを示す選局信号を送出し、クロック・キャリア同期回路５へ現在の同期を保持させるために同期保持信号を送出する。チャネル変更後にフレーム同期回路６からフレーム非同期を検出したことを示すフレーム非同期検出信号を受信すると、復調装置１０を初期化する制御を行う。
【００２１】
Ａ／Ｄ変換回路２は、チューナ８から入力された信号をデジタル信号に変換し、復調回路３とクロック・キャリア同期回路５とへ出力する。
【００２２】
復調回路３は、クロック・キャリア同期回路５からの同期信号に応じて、Ａ／Ｄ変換回路１から入力されたデジタル信号を復調して誤り訂正回路４とフレーム同期回路６へと出力する。クロック・キャリア同期回路５は、クロックに同期させる同期信号と、キャリアに同期させる同期信号とを復調回路３に提供する。
【００２３】
誤り訂正回路４は、フレーム同期回路６からのフレーム同期信号に応じて、復調回路３からの復調されたデジタル信号に対して誤り訂正を行い、ＴＳ信号を映像・音声デコーダ２０へと出力する。
【００２４】
フレーム同期回路６は、フレーム同期を検出して取得したＴＭＣＣ信号（図２）をＴＭＣＣ記憶部６ａに格納しておく。フレーム同期回路６は、制御回路１によって復調装置１０が初期化されない限り、繰り返し伝送されるＴＭＣＣ信号（図２）を検出して、ＴＭＣＣ記憶部６ａに既に保持されているＴＭＣＣ信号と比較してその一致を確認する。ＴＭＣＣ信号が不一致の場合、フレーム同期回路６は、フレーム非同期を検出したことを示すフレーム非同期検出信号を制御回路１へ送出する。これにより、制御回路１は、選局操作部３３からチャネル変更の信号を受信し、かつ、フレーム同期回路６からフレームの非同期検出を示すフレーム非同期検出信号を受信した場合に復調装置１０を初期化する。
【００２５】
図５は、本発明の一実施例に係るデジタル放送受信装置の第二構成を示すブロック図である。図５に示すデジタル放送受信装置１００では、復調装置１０に対するチャネル変更処理がデジタル放送受信装置１００全体を制御する制御装置９０で行うように構成される。図５中、図４に示す同一回路には同一符号を付し、その説明を省略する。
【００２６】
図５において、制御装置９０は、ＣＰＵ及びメモリを備え、デジタル放送受信装置１００全体を制御し、本発明に係るチャネル変更処理を復調装置１０に対して行う装置である。制御装置９０は、選局操作部３３からチャネルの変更が指示されると、チューナ８へ視聴者が指定したチャネルを示す選局信号を送出し、復調装置１０のクロック・キャリア同期回路５へ現在の同期を保持させるために同期保持信号を送出する。チャネル変更後にフレーム同期回路６からフレーム非同期を検出したことを示すフレーム非同期検出信号を受信すると、制御装置９０は、初期化信号を送出して復調装置１０を初期化する。
【００２７】
図４に示す第一構成における制御回路１又は図５に示す第二構成における制御装置９０にて行われるチャネル変更処理について説明する。図６は、本発明の一実施例に係るチャネル変更処理を説明するためのフローチャート図である。図６に示すチャネル変更処理において、制御回路１又は９０は、イベントを示す信号が選局操作部３３からのチャネル変更か否かを判断する（ステップＳ４１）。チャネル変更でない場合、この処理を終了する。一方、チャネル変更を検出した場合、制御回路１又は９０は、チューナ８へ選局信号を送出してチャネル設定を行い（ステップＳ４２）、クロック・キャリア同期回路５へＯＮの同期保持信号を一定期間（以下、同期保持期間という）出力する（ステップＳ４３）。復調装置１０は、同期保持状態に遷移する。デジタル放送受信装置１００が動作中、上記チャネル変更処理を繰り返す。
【００２８】
ＯＮの同期保持信号を出力してチャネルを変更する前の復調装置１０の同期状態を保持させた同期保持期間、復調装置１０がフレーム同期状態であるか否かを判断する（ステップＳ４４）。制御回路１又は９０は、チャネル変更後にフレーム同期回路６からフレームが非同期であることを示すフレーム非同期検出信号を受信したか否かを判断すればよい。
【００２９】
同期保持期間フレーム非同期検出信号を受信していない場合、制御回路１又は９０は、クロック・キャリア同期回路へＯＦＦの同期保持信号を出力する（ステップＳ４５）。この場合、ＯＦＦの同期保持信号は初期化を意味しない。従って、復調装置１０はチャネル変更によっても初期化されることなく同期状態に遷移し、このチャネル変更処理は終了する。一方、フレーム非同期検出信号を受信した場合、制御回路１又は９０は、復調装置１０を初期化して（ステップＳ４６）、このチャネル変更処理を終了する。
【００３０】
図７は、本発明の一実施例に係る復調装置の状態遷移を示す図である。図７において、図６のステップＳ４４にてチャネル変更後のフレームが同期していると判断された場合、同期状態を保持させたまま変更したチャネルの信号を受信し、チャネル変更後のＴＭＣＣ信号の一致によって同期状態へと遷移する様子が示されている。つまり、図１に示す従来のチャネル変更処理における初期状態、モード検出、クロック同期、キャリア同期、キャリアずれ補正、フレーム同期などの状態遷移を省略することができ、その分、復調装置１０での処理時間を削減することができる。
【００３１】
このように、復調回路１０における、チャネル変更の検出に応じてフレーム同期を同期保持期間保持するための復調回路３とクロック・キャリア同期回路５の構成について図７で説明する。
【００３２】
図８は、フレーム同期を同期保持期間保持するための構成例を示す図である。図８において、復調回路３は、クロック同期させるための誤差補正回路３ａと、キャリア同期させるための誤差補正回路３ｂと、検波復調回路３ｃとで構成される。クロック・キャリア同期回路５は、誤差計算回路５１と、クロック同期させるためのループフィルタ５ａと、キャリア同期させるためのループフィルタ５ｂと、ＡＧＣ（自動利得制御）５２とで構成される。更に、ＡＧＣ５２はループフィルタ５ｃと、電力計算回路５ｄとで構成される。
【００３３】
復調回路３において、Ａ／Ｄ変換回路２がチューナ８からの信号をデジタル変換した信号を、誤差補正回路３ａによってクロック同期させ、誤差補正回路３ｂによってキャリア同期させた後、デジタル信号は、検波復調回路３ｃとクロック・キャリア同期回路５の誤差計算回路５１とに出力される。検波復調回路３ｃでは、同期処理されたデジタル信号に所定の検波処理を行って復調されたデジタル信号を誤り訂正回路４に出力する。
【００３４】
一方、クロック・キャリア同期回路５では、誤差計算回路５１が、復調回路３から入力されるクロック同期及びキャリア同期したデジタル信号から計算した誤差に基づくパルス信号がループフィルタ５ａ及び５ｂに出力される。ループフィルタ５ａ及び５ｂは、誤差計算回路５１から入力されるパルス信号から高周波成分を取り除いた直流成分に変えて、復調回路３の誤差補正回路３ａ及び３ｂに夫々出力する。
【００３５】
本実施例において、各ループフィルタ５ａ及び５ｂは、制御回路１又は９０から同期保持信号を受信する端子を備え、ＯＮ（「１」）の同期保持信号が送出されている間、チャネル変更によって現在のチャネルから変更後のチャネルの信号が入力されるまで、復調回路３内の同期を保持するために一定の信号を送出し続ける。一方、ＯＦＦ（「０」）の同期保持信号が送出されている間、各ループフィルタ５ａ及び５ｂは、ループゲインを考慮しつつ誤差に基づくパルス信号を送出し続ける。
【００３６】
クロック・キャリア同期回路５のＡＧＣ５２において、Ａ／Ｄ変換回路２によってデジタル変換された信号は電力計算回路５ｄに入力され、電力計算回路５ｄによる電力計算された振幅の変動率に基づくパルス信号を、ループフィルタ５ｃから安定した直流成分でチューナ８へと出力し、チューナ８から入力される信号が均一の増幅レベルとなるように調整する。
【００３７】
同様に、ループフィルタ５ｃは、制御回路１又は９０から同期保持信号を受信する端子を備え、ＯＮ（「１」）の同期保持信号が送出されている間、チャネル変更によって現在のチャネルの信号の入力が途絶えた後から変更後のチャネルの信号が入力されるまで、復調回路３へのデジタル信号の供給を安定させておくために、チューナ８へ一定の信号を送出し続ける。一方、ＯＦＦ（「０」）の同期保持信号が送出されている間、ループフィルタ５ｃは、ループゲインを考慮しつつ振幅の変動率に基づくパルス信号を送出し続ける。
【００３８】
ループフィルタ５ａから５ｃの構成について図９で説明する。図９は、ループフィルタの構成例を示す図である。図９において、各ループフィルタ５ａから５ｃは、セレクタ５５と、乗算回路５６と、加算平均回路５７と、レジスタ５８とで構成される。図９に示す回路構成において、乗算回路５６へは、ループフィルタ５ａ及び５ｂの場合、誤差計算回路５１による計算結果が入力され、ループフィルタ５ｃの場合、電力計算回路５ｄによる計算結果が入力される。
【００３９】
セレクタ５５は、ループゲインと同期保持状態の所定値とを入力し、制御回路１又は９０からの同期保持信号に応じて、ループゲイン又は同期保持状態の所定値を選択して乗算回路５６へと出力する。
【００４０】
同期保持信号が１（チャネル変更によって変更されたチャネルの信号が入力されるまでの期間）の場合、所定値を同期保持状態のループゲインとして選択して、乗算回路５６へ出力する。この所定値が選択されることによって、同期保持信号「１」が出力されている同期保持期間、フィードバックループにおけるループゲインが一定となる。所定値は、例えば「０」である。同期保持信号が０の場合、ループゲインの端子を選択してその入力値を乗算回路５６へ出力する。ループフィルタ５ａ及び５ｂにおいて通常の誤差補正がなされている状態の場合である。ループフィルタ５ｃにおいてチャネルの信号が入力されている状態の場合である。
【００４１】
乗算回路５６は、入力値とセレクタ５５からの値とを乗算し、その結果を加算平均回路５７へと出力する。加算平均回路５７は、レジスタ５８からの帰還値と乗算回路５６による乗算結果と加算して２で割った平均値を算出し、レジスタ５８へ出力する。レジスタ５８は、加算平均回路５７からの平均値を格納すると共に、加算平均回路５７へと帰還させつつ出力する。
【００４２】
このように各ループフィルタ５ａから５ｃがセレクタ５５を備えることによって、チャネル変更によって変更されたチャネルの信号が入力されるまでの期間であっても、復調装置１０内部を同期させた状態で保持させておくことができる。
【００４３】
図１０は、フレーム同期回路におけるフレーム同期を判定するための構成例を示す図である。図１０において、フレーム同期回路６は、相関判定回路６２と移動平均計算回路６３とを有する比較回路６１を備えている。
【００４４】
相関判定回路６２は、選択されたチャネルの信号に対して、変調単位の１シンボル毎に図２に示す構成でなるＴＭＣＣ信号とＴＭＣＣ記憶部６ａから１シンボル毎に読み出したＴＭＣＣ信号とを入力して相関判定を行った結果を、移動平均計算回路６３へ出力する。
【００４５】
移動平均計算回路６３は、入力されたシンボル数によって示される演算期間、相関判定回路６２による結果の平均を計算して、フレーム同期判定結果として出力する。移動平均計算回路６３に与えられるシンボル数として、フレーム同期を判定するのに十分なシンボル数が与えられ、例えば、２０シンボルが指定される。フレームが２０４シンボルで成る場合であっても、２０シンボル程度でフレーム同期を判定するのに十分であると考えられる。演算期間は、シンボル数で限定されるものではなく、同期判定に十分なデータ長が示されればよい。
【００４６】
また、相関判定回路６２と移動平均計算回路６３とによる回路構成によらず、フレーム同期回路６を、ＴＭＣＣ記憶部６ａに格納されたＴＭＣＣ信号の先頭からの所定長のデータとの完全一致を判定する回路構成としてもよい。
【００４７】
上述より、デジタル放送を受信するデジタル放送受信装置１００において、復調する復調装置１０は、あるチャネルを受信中にチャネル変更した場合であっても、ＴＭＣＣ記憶部６ａに格納されている変更される前のＴＭＣＣ信号を用いて、変更されたチャネルの信号がフレーム同期を判断する。変更されたチャネルの信号がフレーム同期している場合はフレーム同期状態を維持し、変更されたチャネルの信号がフレーム同期しない場合に初期化する。
【００４８】
フレーム同期回路６のＴＭＣＣ記憶部６ａに格納されているＴＭＣＣ信号が、チャネル変更後も初期化されることなく保持されるため、チャネルが変更された後の信号のフレーム同期を効果的に行うことができる。つまり、デジタル放送の送信信号がフレーム同期しているチャネル間でチャネル変更した場合、チャネル変更後の復調装置の同期処理を不要とし速やかに同期状態とすることができる。特に、デジタルラジオ放送では、すべてのチャネルがフレーム同期して送信されるため、本発明による効果が大きい。
【００４９】
また、チャネル変更後の信号が入力されるまでの期間、クロック同期及びキャリア同期を保持するため、復調装置１０内部を受信信号に同期させた状態で保持させておくことができる。従って、チャネル変更によってチューナ８に外乱が混入しても、復調装置１０の同期が不安定になることが抑制される。
【００５０】
以上の説明に関し、更に以下の項を開示する。
（付記１）
デジタル放送を復調する復調装置において、
前記復調装置を初期化する初期化手段と、
受信中のチャネル変更後に、チャネル変更前の第一信号のフレーム同期情報を用いて、チャネル変更後の第二信号のフレーム同期を判定するフレーム同期判定手段とを備え、
前記フレーム同期判定手段によって前記第二信号がフレーム同期していると判定した場合、前記初期化手段を抑止してフレーム同期状態を維持することを特徴とする復調装置。
（付記２）
前記フレーム同期判定手段によって前記第二信号のフレーム非同期が検出された場合、前記初期化手段によって前記復調装置が初期化されることを特徴とする付記１記載の復調装置。
（付記３）
前記デジタル放送をデジタル変換した信号に対して同期処理を行い前記フレーム同期判定手段へ出力する信号同期手段を備え、
前記信号同期手段は、チャネル変更後の一定期間、フィードバックループにおけるループゲインを保持し、
前記フレーム同期判定手段は、前記一定期間において前記第二信号のフレーム同期を判定することを特徴とする付記１又は２記載の復調装置。
（付記４）
前記信号同期手段は、同期保持を指示する同期保持信号を受信する同期保持信号受信手段を備え、
前記同期保持信号を受信している期間が前記一定期間となることを特徴とする付記３記載の復調装置。
（付記５）
前記信号同期手段は、自動利得制御手段と、クロック同期手段と、キャリア同期手段とを備え、
前記自動利得制御手段、前記クロック同期手段、及び前記キャリア同期手段の各々が、前記同期保持信号を受信している前記一定期間フィードバックループにおけるループゲインを保持することを特徴とする付記４記載の復調装置。
（付記６）
前記初期化手段を制御する制御手段を備え、
前記制御手段は、チャネル変更を検出すると前記同期保持信号を前記信号同期手段に前記一定期間出力する同期保持信号出力手段を備えることを特徴とする付記４又は５記載の復調装置。
（付記７）
前記制御手段は、
前記第二信号のフレーム非同期を検出したこと示すフレーム非同期検出信号を前記フレーム同期判定手段から受信する手段を備え、
前記同期保持信号出力手段によって前記同期保持信号が出力されている前記一定期間に前記フレーム非同期検出信号を受信すると、記復調装置を初期化することを特徴とする付記５記載の復調装置。
（付記８）
デジタル放送を復調する復調装置における制御方法であって、
受信中のチャネル変更後に、フレーム同期状態を取得して、フレーム同期している場合は該フレーム同期状態を維持し、フレーム非同期を検出した場合は前記復調装置を初期化することを特徴とする制御方法。
（付記９）
前記チャネル変更の検出に応じて信号同期を一定期間保持し、該一定期間に該信号同期させるためのフィードバックループによるループゲインを保持することを特徴とする付記８の制御方法。
（付記１０）
前記信号同期が保持されている前記一定期間に前記フレーム非同期を検出することを特徴とする付記９の制御方法。
（付記１１）
デジタル放送を受信するデジタル放送受信装置において、
前記デジタル放送を復調する復調装置を制御する制御装置を備え、
前記制御装置は、
チャネル変更の検出に応じてチャネルを変更するチャネル変更手段と、
前記チャネルを変更した際に、前記復調装置を一定期間同期保持させる同期保持手段と、
前記一定期間に前記復調装置によるフレーム非同期を検出するフレーム非同期検出手段と、
前記フレーム非同期を検出した場合に該復調装置を初期化する初期化手段とを備えたデジタル放送受信装置。
【００５１】
本発明は、具体的に開示された実施例に限定されるものではなく、特許請求の範囲から逸脱することなく、種々の変形や変更が可能である。
【図面の簡単な説明】
【００５２】
【図１】従来のデジタル放送受信装置における復調装置の状態遷移を示す図である。
【図２】ＩＳＤＢ−Ｔ規格におけるＴＭＣＣ信号の仕様を示す図である。
【図３】従来の復調装置におけるチャネル変更に係る制御処理を説明するためのフローチャート図である。
【図４】本発明の一実施例に係るデジタル放送受信装置の第一構成を示すブロック図である。
【図５】本発明の一実施例に係るデジタル放送受信装置の第二構成を示すブロック図である。
【図６】本発明の一実施例に係るチャネル変更処理を説明するためのフローチャート図である。
【図７】本発明の一実施例に係る復調装置の状態遷移を示す図である。
【図８】フレーム同期を同期保持期間保持するための構成例を示す図である。
【図９】ループフィルタの構成例を示す図である。
【図１０】フレーム同期回路におけるフレーム同期を判定するための構成例を示す図である。
【符号の説明】
【００５３】
１          制御回路
２          Ａ／Ｄ変換回路
３          復調回路
４          誤り訂正回路
５          クロック・キャリア同期回路
６          フレーム同期回路
６ａ        ＴＭＣＣ記憶部
８          チューナ
１０        復調装置
２０        映像・音声デコーダ
３１        表示装置
３２        スピーカ
３３        選局操作部
１００      デジタル放送受信装置
【図１】
2009077232.tif 000003
【図２】
2009077232.tif 000004
【図３】
2009077232.tif 000005
【図４】
2009077232.tif 000006
【図５】
2009077232.tif 000007
【図６】
2009077232.tif 000008
【図７】
2009077232.tif 000009
【図８】
2009077232.tif 000010
【図９】
2009077232.tif 000011
【図１０】
2009077232.tif 000012